(57)【要約】【課題】意匠性に優れる手摺を容易に施工することができる手摺部材の提供【解決手段】  一の方向に延びる棒状本体部１１を備える手摺部材１０であって、棒状本体部１１の少なくとも一方の端部１３に、他の手摺部材との接続面部１３ａを有し、少なくとも一方の接続面部１３ａが、棒状本体部１１の軸方向Ａ０に対して傾斜した法線を有し、棒状本体部１１の軸方向に直交する断面と略同一の輪郭線形状を有する傾斜面部を備える。【選択図】  図１
2018184726.tif 000002
【特許請求の範囲】
【請求項１】
一の方向に延びる棒状本体部を備える手摺部材であって、
前記棒状本体部の少なくとも一方の端部に、他の手摺部材との接続面部を有し、
前記接続面部の少なくとも一方が、前記棒状本体部の軸方向に対して傾斜した法線を有し、前記棒状本体部の軸方向に直交する断面と略同一の輪郭線形状を有する傾斜面部を備える、
手摺部材。
【請求項２】
前記棒状本体部の前記傾斜面部を備える端部において、
前記傾斜面部を構成する平面が前記軸方向に対して傾斜した側を内側面、その反対側を外側面とするとき、
前記傾斜面部が、前記内側面を含む面とおよび前記外側面を含む面との間に設けられている、
請求項１に記載の手摺部材。
【請求項３】
前記棒状本体部の前記傾斜面部を備える端部において、
前記傾斜面部を構成する平面が前記軸方向に対して傾斜した側の反対側を外側面とするとき、
前記端部の前記外側面に、前記傾斜面と略直角をなす平面を有する外側平面部を備える、
請求項１または２に記載の手摺部材。
【請求項４】
前記軸方向に垂直な断面の輪郭線形状が、長方形である、
請求項１から３までのいずれかに記載の手摺部材。
【請求項５】
前記棒状本体部の両端に接続面部を備え、前記接続面部のうち、
一方が、前記傾斜面部であり、
他方が、軸方向に垂直な面で構成される垂直面部である、
請求項１から４までのいずれかに記載の手摺部材。
【請求項６】
前記棒状本体部が天然木の集成材または無垢材からなる、
請求項１から５までのいずれかに記載の手摺部材。
【請求項７】
階段用手摺部材である、
請求項１から６までのいずれかに記載の手摺部材。
【請求項８】
請求項１から７までのいずれかに記載の手摺部材の前記傾斜面部と、
一の方向に延びる棒状本体部の少なくとも一方の端部に軸方向に垂直な面で構成される垂直面部を有する他の手摺部材の前記垂直面部とを接続した、
手摺。
【請求項９】
前記傾斜面部および前記垂直面部のうち、少なくとも一方が、その面から突出した、先端に大径部を有する棒状固定具を備え、
他方が、前記棒状固定具を挿入する挿入孔と、前記挿入孔の底部に前記棒状固定具の前記大径部を着脱可能な把持部とを備える、
請求項８に記載の手摺。
【請求項１０】
前記傾斜面部および前記垂直面部の間に、平板状のスペーサを備える、
請求項８または９に記載の手摺。
【請求項１１】
前記外側面を、上方または下方に向けた、
請求項８から１０までのいずれかに記載の手摺。
【請求項１２】
下記の工程を有する手摺部材の製造方法。
（１）棒状素材の少なくとも一方の端部を、その軸方向に対して傾斜する面で切断して、傾斜平面を形成する工程、および、
（２）前記傾斜平面が、前記軸方向に対して傾斜した側の反対側を外側面とするとき、前記外側面側において、前記傾斜平面に直交する面で切断して、外側平面部を形成するとともに、前記棒状素材の軸方向に直交する断面と略同一の輪郭線形状を有する傾斜面部を形成する工程。
【請求項１３】
下記の工程を有する手摺の製造方法。
（１）棒状素材の少なくとも一方の端部を、その軸方向に対して傾斜する面で切断して、傾斜平面を形成する工程、
（２）前記傾斜平面が、前記軸方向に対して傾斜した側の反対側を外側面とするとき、前記外側面側において、前記傾斜平面に直交する面で切断して、外側平面部を形成するとともに、前記棒状素材の軸方向に直交する断面と略同一の輪郭線形状を有する傾斜面部を形成する工程、
（３）前記棒状素材とは別の棒状素材の少なくとも一方の端部を、その軸方向に直交する面で切断して、垂直面部を形成する工程、および、
（４）前記傾斜面部と前記垂直面部とを接続して手摺を形成する工程。
【発明の詳細な説明】
【技術分野】
【０００１】
本発明は、手摺部材およびその製造方法、ならびに、手摺およびその製造方法に関する。
【背景技術】
【０００２】
従来、複数の手摺部材を接続して階段の壁面に手摺を施工する際には、接続するそれぞれの手摺部材の端部に一定の傾斜角の傾斜面を設けて、その傾斜面同士を当接した状態で固定することが行われている。
【０００３】
特許文献１には、一方の手摺部材の端部を半円状の凸部断面とし、他方の手摺部材の端部を半円状の凹部断面とし、手摺部材同士の角度を調整可能にした手摺笠木が開示されている。また、特許文献２および特許文献３には、手摺部材の端部同士を接続する連結部材（エンドキャップ）が開示されている。
【先行技術文献】
【特許文献】
【０００４】
【特許文献１】特開平７−１３９１１５号公報
【特許文献２】特開２０１０−４８００６号公報
【特許文献３】特開２００８−１８００６７号公報
【発明の概要】
【発明が解決しようとする課題】
【０００５】
特許文献１の発明は、手摺部材同士の角度を調整可能にするために、一方の手摺部材の端部を半円状の凸状断面、他方の手摺部材の端部を半円状の凹状断面としており、加工が困難であり、生産性に劣る。そればかりか、半円状の凹状断面の端部は、その先端が欠けるおそれがある。また、その接続角度によっては、凸状断面の端部の曲面の一部が露出して、意匠性を劣化させるおそれがある。
【０００６】
特許文献２および特許文献３のように、手摺部材の端部同士を接続する連結部材（エンドキャップ）を用いれば、接続箇所を隠すことができるものの、金属や樹脂などで製造された異質な材料で固定することになり、見栄えが悪い。特に、天然木の集成材や無垢材を用いた手摺部材の場合、意匠性を著しく劣化させる。
【０００７】
このように、従来技術においては、施工現場において手摺部材同士の接続角度を調整可能にするために様々な工夫がなされているが、いずれも意匠性を劣化させるものであった。一方で、現在の内装材については、プレカット技術が進んでおり、階段の設計と同時に手摺の設計も行われるため、施工現場での調整よりも、意匠性の向上と、施工現場での施工性の向上への要求が強くなってきている。
【０００８】
本発明は、複雑な加工を伴わずに部材を形成することができ、施工が容易であり、しかも、施工後の意匠性に優れる手摺部材およびその手摺部材を用いた手摺を提供することを目的としている。
【課題を解決するための手段】
【０００９】
本発明者らは、上記の目的を達成するべく、鋭意研究を重ねた結果、本発明を完成させた。本発明は、下記の手摺部材および手摺、ならびにそれらの製造方法を要旨とする。
【００１０】
（１）一の方向に延びる棒状本体部を備える手摺部材であって、
前記棒状本体部の少なくとも一方の端部に、他の手摺部材との接続面部を有し、
前記接続面部の少なくとも一方が、前記棒状本体部の軸方向に対して傾斜した法線を有し、前記棒状本体部の軸方向に直交する断面と略同一の輪郭線形状を有する傾斜面部を備える、
手摺部材。
【００１１】
（２）前記棒状本体部の前記傾斜面部を備える端部において、
前記傾斜面部を構成する平面が前記軸方向に対して傾斜した側を内側面、その反対側を外側面とするとき、
前記傾斜面部が、前記内側面を含む面とおよび前記外側面を含む面との間に設けられている、
上記（１）の手摺部材。
【００１２】
（３）前記棒状本体部の前記傾斜面部を備える端部において、
前記傾斜面部を構成する平面が前記軸方向に対して傾斜した側の反対側を外側面とするとき、
前記端部の前記外側面に、前記傾斜面と略直角をなす平面を有する外側平面部を備える、
上記（１）または（２）の手摺部材。
【００１３】
（４）前記軸方向に垂直な断面の輪郭線形状が、長方形である、
上記（１）〜（３）のいずれかの手摺部材。
【００１４】
（５）前記棒状本体部の両端に接続面部を備え、前記接続面部のうち、
一方が、前記傾斜面部であり、
他方が、軸方向に垂直な面で構成される垂直面部である、
上記（１）〜（４）のいずれかの手摺部材。
【００１５】
（６）前記棒状本体部が天然木の集成材または無垢材からなる、
上記（１）〜（５）のいずれかの手摺部材。
【００１６】
（７）階段用手摺部材である、
上記（１）〜（６）のいずれかの手摺部材。
【００１７】
（８）上記（１）〜（７）のいずれかの手摺部材の前記傾斜面部と、
一の方向に延びる棒状本体部の少なくとも一方の端部に軸方向に垂直な面で構成される垂直面部を有する他の手摺部材の前記垂直面部とを接続した、
手摺。
【００１８】
（９）前記傾斜面部および前記垂直面部のうち、少なくとも一方が、その面から突出した、先端に大径部を有する棒状固定具を備え、
他方が、前記棒状固定具を挿入する挿入孔と、前記挿入孔の底部に前記棒状固定具の前記大径部を着脱可能な把持部とを備える、
上記（８）の手摺。
【００１９】
（１０）前記傾斜面部および前記垂直面部の間に、軟質材料からなる平板状のスペーサを備える、
上記（８）または（９）の手摺。
【００２０】
（１１）前記外側面を、上方または下方に向けた、
上記（８）〜（１０）のいずれかの手摺。
【００２１】
（１２）下記の工程を有する手摺部材の製造方法。
（１）棒状素材の少なくとも一方の端部を、その軸方向に対して傾斜する面で切断して、傾斜平面を形成する工程、および、
（２）前記傾斜平面が、前記軸方向に対して傾斜した側の反対側を外側面とするとき、前記外側面側において、前記傾斜平面に直交する面で切断して、外側平面部を形成するとともに、前記棒状素材の軸方向に直交する断面と略同一の輪郭線形状を有する傾斜面部を形成する工程。
【００２２】
（１３）下記の工程を有する手摺の製造方法。
（１）棒状素材の少なくとも一方の端部を、その軸方向に対して傾斜する面で切断して、傾斜平面を形成する工程、
（２）前記傾斜平面が、前記軸方向に対して傾斜した側の反対側を外側面とするとき、前記外側面側において、前記傾斜平面に直交する面で切断して、外側平面部を形成するとともに、前記棒状素材の軸方向に直交する断面と略同一の輪郭線形状を有する傾斜面部を形成する工程、
（３）前記棒状素材とは別の棒状素材の少なくとも一方の端部を、その軸方向に直交する面で切断して、垂直面部を形成する工程、および、
（４）前記傾斜面部と前記垂直面部とを接続して手摺を形成する工程。
【発明の効果】
【００２３】
本発明の手摺部材によれば、プレカットによる製造が容易で、かつ設置角度が異なる手摺部材同士の接続が容易である。このため、この手摺部材を用いれば、意匠性に優れる手摺を容易に施工することができる。
【図面の簡単な説明】
【００２４】
【図１】本実施形態に係る手摺部材を示す模式図  （ａ）正面図  （ｂ）（ａ）の紙面右方向から見た側面図
【図２】他の実施形態に係る手摺部材を示す模式図  （ａ）正面図  （ｂ）（ａ）の紙面右方向から見た側面図
【図３】本実施形態に係る手摺に用いることができる手摺部材の例を示す模式図
【図４】本実施形態に係る手摺部材の接続状況を示す模式図
【図５】本実施形態に係る手摺部材の一部を示す模式図  （ａ）正面図  （ｂ）（ａ）の紙面右方向から見た底面図  （ｃ）（ｂ）のＡ−Ａ断面図
【図６】本実施形態に係る手摺の一部を示す模式図
【図７】他の実施形態に係る手摺の一部を示す模式図
【図８】本実施形態に係る手摺の全体構成の例を示す模式図
【発明を実施するための形態】
【００２５】
１．本実施形態に係る手摺部材
図１に示すように、本実施形態に係る手摺部材１０は、一の方向（図中Ｘの方向）に延びる棒状本体部１１を備えている。棒状本体部１１は、木質材料、たとえば、天然木の集成材または無垢材からなるのがよい。また、棒状本体部１１は、その長さ方向において軸方向Ａ０に垂直な断面の輪郭線形状は略一定であるのがよい。棒状本体部１１は、その両端部１２、１３に接続面部１２ａ、１３ａを有している。ただし、棒状本体部１１は、その少なくとも一方の端部１３に接続面部１３ａを有しておればよい。棒状本体部１１の長さは、備え付け予定の壁面の長さ、位置などの条件に応じて変更可能である。典型的な長さは、５０〜５０００ｍｍである。また、長さは、工場や施工現場において切断して、適切な長さに調整することも可能である。
【００２６】
一方の接続面部１３ａは、棒状本体部１１の軸方向Ａ０に対して傾斜した法線Ａ１を有する傾斜面部である。他方の接続面部１２ａは、軸方向Ａ０に垂直な面で構成される垂直面部である。他方の接続面部１２ａについては、接続面部１３ａと同様の傾斜面部であってもよいが、部品の共通化による製造コスト低減の観点および意匠性の観点からは、図に示す例のように、軸方向Ａ０に垂直な面で構成される垂直面部であることが好ましい。このような構成であれば、垂直面部の長さは、工場や施工現場においても調整可能である。
【００２７】
傾斜面部で構成される接続面部１３ａは、棒状本体部１１の軸方向に直交する断面と略同一の輪郭線形状を有している。また、図に示す例では、接続面部１３ａは、他方の接続面部１２とも略同一の輪郭線形状を有している。略同一の輪郭線形状とは、人の手に馴染む形状であれば、制限はないが、例えば、長方形である。このような形状であれば、垂直面部で構成される他方の接続面部１２ａの形状も略同一の輪郭線形状の長方形とすることができる。その結果、傾斜面部で構成される接続面部１３ａを他方の接続面部１２ａと略同一の輪郭線形状とするのが容易になる。なお、長方形のそれぞれの角部に面取り部を備えていてもよい。輪郭線形状が長方形である場合の典型的な寸法は、縦２０〜１００ｍｍ、横２０〜１００ｍｍである。
【００２８】
特に、棒状本体部１１の傾斜面部１３ａを備える端部１３には、傾斜面部１３ａを構成する平面（法線Ａ１を有する平面）が、軸方向Ａ０に対して傾斜した側の側面を内側面１１ａ、その反対側を外側面１１ｂとするとき、傾斜面部１３ａが、内側面１１ａを含む面とおよび外側面１１ｂを含む面との間に設けられていることが好ましい。この構成であれば、手摺として施工したときの意匠性が向上する。また、図２に示すように、他の本実施形態に係る手摺部材１０は、棒状本体部１１の傾斜面部１３ａを備える端部１３には、端部１３の外側面１１ｂに、傾斜面部１３ａの法線Ａ１と略直角をなす法線Ａ２を有する外側平面部１３ｂを備えるものである。このとき、傾斜面部１３ａと外側平面部１３ｂとは略直角な角部を形成する。法線Ａ１と法線Ａ２と角度は、必ずしも略直角でなくてもよいが、略直角にすれば、他の手摺部材の垂直面部で構成される接続面部と接続して手摺として施工したときの意匠性が向上する。
【００２９】
本実施形態に係る手摺部材１０は、屈曲点がある手摺であっても、プレカット加工により自由にその角度調整ができ、かつ部材点数を減らすことができ、しかも意匠性に優れている。よって、本実施形態に係る手摺部材１０は、例えば、階段用手摺部材に適している。
【００３０】
２．本実施形態に係る手摺
本実施形態に係る手摺部材１０と、他の手摺部材とを接続し、壁面に固定することにより、本実施形態に係る手摺を施工することができる。他の手摺部材としては、下記のものが挙げられる。
【００３１】
（１）図３（ａ）に示す、棒状本体部３１の一端に傾斜面部３１ａ、他端に垂直面部３１ｂを備える中間手摺部材３０（本発明の手摺部材の一態様、図８において符号Ｃ）、
（２）図３（ｂ）に示す、棒状本体部４１の一端に傾斜面部４１ａを備え、他端に、壁面に固定するための、棒状本体部４１の軸に垂直な法線を有する接続面部４１ｃを備えるスタート用手摺部材４０（本発明の手摺部材の一態様、図８において符号Ｓ）、
（３）図３（ｃ）に示す、棒状本体部５１の一端に垂直面部５１ｂを備え、他端に壁面に固定するための、棒状本体部５１の軸に垂直な法線を有する接続面部５１ｃを備えるエンド用手摺部材５０（図８において符号Ｅ）、
（４）図３（ｄ）に示す、一端に傾斜面部６１ａ、他端に垂直面部６１ｂを備える手摺部材６０（本発明の手摺部材の一態様、図８において符号ＣＳ）、
（５）両端に傾斜面部を備える手摺部材（本発明の手摺部材の一態様、図示省略）などが挙げられる。
【００３２】
いずれの手摺部材も、その意匠性の観点から、その長さ方向において軸方向に垂直な断面の輪郭線形状は略一定であり、しかも、本実施形態に係る手摺部材１０の軸方向に垂直な断面の輪郭線形状と略同一形状であるのがよい。
【００３３】
図４に示すように、本実施形態に係る手摺においては、手摺部材１０の少なくとも一方の端部に設けられた接続面部には、その面から突出した、先端に大径部１５ａを有する棒状固定具１５を備えている。そして、他の手摺部材１００の少なくとも一方の端部に設けられた接続面部には、棒状固定具１５を挿入する挿入孔１６と、挿入孔１６の底部に棒状固定具１５の大径部１５ａを着脱可能な把持部１８とを備えている。そして、例えば、一方の手摺部材１０を他の手摺部材１００に接続する際には、一方の手摺部材の棒状固定具１５を挿入孔１６に挿入し、その状態で固定される。
【００３４】
図５は、この着脱機構を説明している。図５（ｂ）に示すように、把持部１８は、ドライバで回転可能なネジ１８ａを有している。そして、棒状固定具１５を挿入孔１６に装入した状態で、挿入孔１６の垂直方向に空けられたネジ用孔１７からネジ１８ａを時計回りに回転させると大径部１５ａの根元側にある首部１５ｂに噛み込み、大径部１５ａを挿入孔１６の底部の方向（図面右方向）に引き寄せ、把持する機構（所謂、引き寄せ機構）を有している。また、把持部１８は、ネジ１８ａを反時計回りに回転させると、首部１５ｂへの噛み込みを解除して、大径部１５ａを開放し、他の手摺部材を外すことができる。これにより、手摺部材１０と他の手摺部材１００とを容易に着脱可能とすることができる。
【００３５】
なお、手摺部材１０と他の手摺部材１００と接続は、上記の方法によるのが最も好ましいが、例えば、ダボによって固定する方法、接続金具およびビスによって固定する方法などの一般的な方法のほか、単にこれらの接続面部同士を近接させるか、接触させた状態とするだけで、固定しなくてもよい。また、図５には、傾斜面部に棒状固定具１５、垂直面部に挿入孔１６および把持部１８を備える例を示すが、傾斜面部に挿入孔１６および把持部１８、垂直面部に棒状固定具１５を備えるものであってもよい。
【００３６】
接続される傾斜面部および垂直面部の間には、平板状のスペーサ１９を備えるのがよい。これにより、加工精度のばらつきによって生じる接続面部同士の形状差や隙間を目立たなくして、意匠性向上に寄与する。また、他の手摺部材と接続する際の接触傷を減らすこともできる。平板状のスペーサ１９の材質には制約がないが、例えば、金属、硬質樹脂、軟質樹脂などである。
【００３７】
スペーサ１９は、薄すぎると接続面部同士の形状差が目立ちやすくなり、意匠性を劣化させるので、厚さは１．０ｍｍ以上とするのが好ましい。１．５ｍｍ以上がより好ましい。また、厚すぎると、スペーサ１９が目立ちやすくなり、逆に意匠性を劣化させるので、厚さは３．０ｍｍ以下とするのが好ましい。２．５ｍｍ以下がより好ましい。スペーサ１９は、接続面部よりも少しでも大きい場合には、目立やすくなり、意匠性を劣化させるので、接続面部よりも小さい構成とする、つまり、手摺部材１０と他の手摺部材１００との間にスペーサ１９によって溝が形成される構成とするのが好ましい。ただし、この溝の深さが浅すぎると接続面部同士の形状差が目立ちやすくなり、意匠性を劣化させるので、深さは１．０ｍｍ以上とするのが好ましい。１．５ｍｍ以上がより好ましい。また、深すぎると、利用者が指を引っ掛けたり挟んだりしやすくなり、使用感が劣化する（特に、スペーサ１９が厚い場合に劣化が顕著となる。）ので、深さは３．０ｍｍ以下とする。２．５ｍｍ以下がより好ましい。
【００３８】
図６に示すように、本実施形態に係る手摺２００は、本実施形態に係る手摺部材２１０と、一の方向に延びる棒状本体部で構成される他の手摺部材２２０とを接続して構成される。このとき、本実施形態に係る手摺部材２１０の傾斜面部２１３ａと、他の手摺部材２２０の少なくとも一方の端部に軸方向に垂直な面で構成される垂直面部２２０ａとを当接し、固定している。この固定は、例えば、前掲の図５に示す固定方法を利用することができる。
【００３９】
図６に示すように、本実施形態に係る手摺部材２１０の外側面２１１ｂが鉛直方向の下方に向くように施工してもよいが、図７に示す本実施形態に係る手摺３００のように、本実施形態に係る手摺部材３１０の外側面３１１ｂを鉛直方向の上方に向けてもよい。いずれの場合も、外側面には外側平面部２１３ｂ、３１３ｂが設けられていることが意匠性の観点から好ましい。
【００４０】
図８に示すように、本実施形態に係る手摺を階段の外廻壁に施工する場合には、例えば、最下位置に、階段の上り角度に沿って、スタート用手摺部材Ｓが設けられ、踊り場の位置で、スタート用手摺部材Ｓには、踊り場面に平行な中間手摺部材Ｃが接続される。なお、スタート手摺部材Ｓの傾斜面部の角度は、階段の上り角度によって設定され、予めプレカット加工されている。
【００４１】
そして、踊り場から更に上る階段部分では、鉛直方向から見たとき、スタート用手摺部材Ｓが設置された第一壁（図示省略）に対して直角に正面壁（図示省略）が施工されており、手摺は、この壁面に施工される。すなわち、踊り場面に平行な方向に手摺部材ＣＳが設けられ、さらに、階段の上り角度に沿って中間手摺部材Ｃが順に接続される。ここで、鉛直方向から見たとき、正面壁（図示省略）に対して直角に第二壁（図示省略）が施工されており、この壁には、手摺部材ＣＳ、中間手摺部材Ｃ、中間手摺部材Ｃおよびエンド用手摺部材Ｅが接続されている。予め複数の手摺部材を接続した後、ブラケットを介して壁面に取り付けても良く、壁面への固定と手摺部材同士の接続を並行して行っても良い。
【００４２】
このように、本実施形態に係る手摺は、容易に施工可能であり、接続面を露出させることがないため、意匠性が極めて優れている。
【００４３】
３．本実施形態に係る手摺部材の製造方法
本実施形態に係る手摺部材（外側平面部を備える手摺部材）は、下記の（１）および（２）の工程により製造することができる。
（１）棒状素材の少なくとも一方の端部を、その軸方向に対して傾斜する面で切断して、傾斜平面を形成する工程
（２）前記傾斜平面が、前記軸方向に対して傾斜した側の反対側を外側面とするとき、前記外側面側において、前記傾斜平面に直交する面で切断して、外側平面部を形成するとともに、前記棒状素材の軸方向に直交する断面と略同一の輪郭線形状を有する傾斜面部を形成する工程
これにより、削りだしなどの特殊な加工を用いることなく、切断工程のみで手摺部材を製造することが可能である。上記それぞれの工程においては、それぞれの角を面取りする工程を備えていてもよい。また、得られた手摺部材を塗装する工程を更に備えてもよい。
【００４４】
４．本実施形態に係る手摺の製造方法
本実施形態に係る手摺は、上記の（１）および（２）の工程に加え、さらに、下記の（３）および（４）の工程により製造することができる。
（３）前記棒状素材とは別の棒状素材の少なくとも一方の端部を、その軸方向に直交する面で切断して、垂直面部を形成する工程
（４）前記傾斜面部と前記垂直面部とを接続して手摺を形成する工程
上記（３）の工程においては、それぞれの角を面取りする工程を備えていてもよい。また、上記（３）の工程によって得られた手摺部材を塗装する工程を更に備えてもよい。
【産業上の利用可能性】
【００４５】
本発明の手摺部材によれば、プレカットによる製造が容易で、かつ設置角度が異なる手摺部材同士の接続が容易である。このため、この手摺部材を用いれば、意匠性に優れる手摺を容易に施工することができる。特に、階段用手摺部材として有用である。
【符号の説明】
【００４６】
１０  本実施形態に係る手摺部材
１１  棒状本体部
１１ａ  内側面
１１ｂ  外側面
１２、１３  端部
１２ａ、１３ａ  接続面部
１３ｂ  外側平面部
１５  棒状固定具
１５ａ  大径部
１５ｂ  首部
１６  挿入孔
１７  ネジ用孔
１８  把持部
１８ａ  ネジ
１９  スペーサ
１００  他の手摺部材
３１、４１、５１  棒状本体部
３１ａ、４１ａ、５１ａ  傾斜面部
３１ｂ、５１ｂ  垂直面部
３０  中間手摺部材
４０  スタート用手摺部材
４１ｃ、５１ｃ  接続面部
５０  エンド用手摺部材
６０  手摺部材
２００、３００  本実施形態に係る手摺
２１０、３１０本実施形態に係る手摺部材
２１１ｂ、３１１ｂ  外側面
２１３ａ  傾斜面部
２１３ｂ、３１３ｂ  外側平面部
２２０  他の手摺部材
２２０ａ、３２０ａ  垂直面部
Ｓ    スタート用手摺部材  
Ｃ    中間手摺部材
ＣＳ  手摺部材
Ｅ    エンド用手摺部材
【図１】
2018184726.tif 000003
【図２】
2018184726.tif 000004
【図３】
2018184726.tif 000005
【図４】
2018184726.tif 000006
【図５】
2018184726.tif 000007
【図６】
2018184726.tif 000008
【図７】
2018184726.tif 000009
【図８】
2018184726.tif 000010